(57)【特許請求の範囲】
【請求項１】
回転自在な内環支持体（２）に止着した２枚の円盤状のろ過板（１、１）と、ろ過板（１）の外周部に摺接させた外周環（４）とでろ過室（５）を形成し、ろ過室（５）の下方部の外周環（４）に逆止板（１０）を止着して、この逆止板（１０）の側縁部をろ過板（１）に近接させ、その先端部をろ過板（１）の内環支持体（２）に摺設させると共に、逆止板（１０）で規制するろ過室（５）の始端側に汚泥の供給口（１２）と、その終端側にケーキの取出口（１３）を外周環（４）に開口した装置において、上記逆止板（１０）をろ過板（１）の回転方向に傾斜させ、取出口（１３）の排出通路をろ過室（５）側から排出側に向って拡開し、前記逆止板（１０）の内部に、ろ過板（１）を洗浄するための洗浄水の供給管（２０）を配設したことを特徴とするフイルタープレス。
【請求項２】
上記取出口（１３）の排出部（１３ａ）をろ過板（１）の回転方向に傾斜させたことを特徴とする請求項１記載のフイルタープレス。
【発明の詳細な説明】
【０００１】
【発明の属する技術分野】
この発明は、無機質や繊維質を多く含有する汚泥を圧搾脱水して、間歇的に脱水ケーキを取出すフイルタープレスに関し、ケーキ排出時の脱水ケーキと排出口の壁面との接触圧力を減少させたケーキの取出口の改良に関する。
【０００２】
【従来の技術】
回転自在なろ過板でろ過室を形成し、ろ過室の外周環に止着した逆止板で規制するろ過室の始端側の供給口から汚泥を圧入し、ろ過板と汚泥を供回りさせながら、ろ過板と汚泥との間に発生する摩擦抵抗と、せん断摩擦抵抗力を発生させて圧搾脱水し、ろ過室の終端側の取出口から間歇的に脱水ケーキを取出す装置の、図４に示すフイルタープレスを出願人が特願平１１−２１８４４６号で提案している。
【０００３】
【発明が解決しようとする課題】
上記出願人が提案したフイルタープレスは多数並列すれば大容量処理が可能であり、広い設置スペースも必要とせず、ろ布などの消耗品も不用となるものであるが、間歇的に圧搾脱水するために、脱水ケーキと出口壁面との接触圧力によるケーキ排出時の滑り抵抗が大きくなり、ケーキの詰まりなどが発生してその部分に過大な負荷が生じていた。この発明は、ケーキの取出口に工夫を施すことにより上記の課題を解決する装置を提供するものである。
【０００４】
【課題を解決するための手段】
この発明の要旨は、回転自在な内環支持体に止着した２枚の円盤状のろ過板と、ろ過板の外周部に摺接させた外周環とでろ過室を形成し、ろ過室の下方部の外周環に逆止板を止着して、この逆止板の側縁をろ過板に近接させ、その先端部を内環支持体に摺設させると共に、逆止板で規制するろ過室の始端側に汚泥の供給口と、その終端側にケーキの取出口を外周環に開口した装置において、上記逆止板をろ過板の回転方向に傾斜させ、取出口の排出通路をろ過室側から排出側に向って拡開して、排出口の断面積を徐々に増加していく形状として、ケーキの取出しを容易とし、前記逆止板の内部に、ろ過板を洗浄するための洗浄水の供給管を配設したものである。たものである。また、取出口の排出部をろ過板の回転方向に傾斜させれば、脱水ケーキと出口壁面との接触圧力をさらに少なくすることができるものである。
【０００５】
【発明の実施の形態】
この発明に係る装置は上記のように構成してあり、ケーキ取出口の開閉弁を閉塞し、ろ過室を微速回転させながら供給口から汚泥を圧入すると、汚泥は濃縮されながらろ過室の回転とともに移送されろ材の接触面との摩擦抵抗で汚泥が脱水される。やがて、ろ過面のケーキ層と中心部の比較的柔らかい汚泥との間にせん断摩擦抵抗力が発生し脱水が促進され、取出口からケーキに背圧を加えながらさらに脱水が行なわれる。そして、開閉蓋を開放すれば、開閉蓋の近傍の最も脱水されたケーキは、逆止板の傾斜面に沿って案内されて、排出口の断面積が徐々に増加され、排出初期の滑り抵抗が少なくなり、ろ過板の回転によるろ材の接触面との摩擦抵抗でろ過室のケーキを連続して取出口から排出することができる。
【０００６】
【実施例】
この発明に係るフイルタープレスを図面に基づき詳述すると、まず、図１及び図２において、符号１は多数の細孔を有する円盤状のろ過板であって、２枚の円盤状のろ過板１、１の内周縁が内環支持体２に止着してある。ろ過板１の周部には支持板３に固定した外周環４が配設してあり、２枚のろ過板１、１と外周環４とでその内部にろ過室５が形成してある。ろ過板１を止着した内環支持体２には駆動軸６が嵌入してあり、この駆動軸６が架台７に固定された軸受８に回転自在に軸支されている。そして、駆動軸６の端部に嵌着したスプロケット９が駆動機（図示せず）に連結してあり、２枚のろ過板１、１を回転させて、ろ過室５の汚泥を供回りさせるようにしてある。
【０００７】
ろ過室５の下方部の外周環４には、図１に示すように、逆止板１０が止着してあり、この逆止板１０は側縁部をろ過板１に近接させ、その先端部を内環支持体２に摺設させてある。この逆止板１０でろ過室５を分断する前後の外周環４には、汚泥の供給管１１を連結した供給口１２と筒状に形成したケーキの取出口１３が設けてある。この取出口１３は外周環４の下端を垂下させ、逆止板１０を先端部から下端部に向ってろ過板１の回転方向に下り勾配に傾斜させてこの逆止板１０の下端を延設した形状となっており、取出口１３の排出通路をろ過室側から排出側に向って拡開してある。そして、ケーキ排出通路の形状が排出口に近づくに従って連続して徐々に広がりを持ち、排出口の断面積を増加してゆく形状としてあり、脱水ケーキが逆止板１０の傾斜面に沿って案内され、排出口の断面積の増加によりケーキの取出しを容易としてある。図３に示す取出口１３は他の実施例であって、取出口１３の排出部１３ａがろ過板１の回転方向に下り勾配に傾斜させてあり、脱水ケーキと取出口１３との壁面との接触圧力を少なくし、滑り抵抗を少なくしてある。
【０００８】
取出口１３の排出部１３ａには平板状の開閉蓋１４が配設してあり、図２に示すように、この開閉蓋１４はアクチュエーター１５のピストン１６に連結してあり、ピストン１６を伸縮させて、開閉蓋１４を摺動させて取出口１３の排出部１３ａを開閉するようにしてある。
なお、符号１７はろ過板１を覆うカバーであって、架台７に固定され、そのカバー１７の周部に外周環４を固定した支持板３に止着してあり、ろ過板１とカバー１７の間にろ液室１８を形成してある。符号１９はろ液の排出管、符号２０は逆止板１０の内部からろ過板１を洗浄するための洗浄水の供給管、符号２１はろ過板１の補強板である。
【０００９】
【発明の効果】
以上のように、この発明のフイルタープレスにあっては、ろ過室を規制する逆止板をろ過板の回転方向に傾斜させ、取出口の排出通路をろ過室側から排出側に向って拡開して、排出口の断面積が徐々に増加してゆく形状としたので、排出口の断面積の増加によりケーキの取出しが容易となるものである。また、取出口の排出部をろ過板の回転方向に下り勾配に傾斜させておけば、脱水ケーキと取出口との壁面との接触圧力による滑り抵抗が少なくなり、従来装置のように、脱水ケーキと取出口の壁面との接触圧力が増大して取出口に大きな負荷が生じることもないものである。そして、逆止板の内部に、ろ過板を洗浄するための洗浄水の供給管を配設したのでろ過板の目詰まりが解消されるものである。
【図面の簡単な説明】
【図１】この発明に係るフイルタープレスの縦断正面図である。
【図２】この発明に係るフイルタープレスの概略側面図である。
【図３】他の実施例のフイルタープレスの縦断正面図である。
【図４】従来装置のフイルタープレスの縦断正面図である。
【符号の説明】
１  ろ過板
２  内環支持体
４  外周環
５  ろ過室
１０  逆止板
１２  供給口
１３  取出口
１３ａ  排出部
２０  洗浄水の供給管
【図１】
0003567825.tif 000002
【図２】
0003567825.tif 000003
【図３】
0003567825.tif 000004
【図４】
0003567825.tif 000005